(57)【要約】【課題】水平方向の明るさを増大させるために、固体発光素子を積み上げて複数使用しても、固体発光素子の配設位置が大きく離間することを軽減でき、水平方向の放射光の離散を抑制できる発光ユニット及び標識灯を提供すること。【解決手段】固体発光素子１，２と、固体発光素子１，２の放射光の光軸と交差する水平方向に放射光を屈折させる光学部材３，４とを各々備えた第１及び第２の光源ａ１，ａ２と;第１及び第２の光源ａ１，ａ２の固体発光素子１，２の光軸を揃えると共に、それら固体発光素子１，２を対向させて保持する保持部材５，６と;を備えたことを特徴とする。【選択図】  図１
2008186754.tif 000002
【特許請求の範囲】
【請求項１】
固体発光素子と、固体発光素子の放射光の光軸と交差する水平方向に放射光を屈折させる光学部材とを各々備えた第１及び第２の光源と;
第１及び第２の光源の固体発光素子の光軸を揃えると共に、それら固体発光素子を対向させて保持する保持部材と;
を備えたことを特徴とする光源ユニット。
【請求項２】
請求項１記載の光源ユニットと;
第１及び第２の固体発光素子の屈折された放射光を外部に照射可能に光源ユニットを収容する灯体と；
を備えていることを特徴とする標識灯。
【発明の詳細な説明】
【技術分野】
【０００１】
本発明は、発光ダイオードなどの固体発光素子を使用した光源ユニット及びその光源ユニットを用いた標識灯に関する。
【背景技術】
【０００２】
空港の誘導路や道路などに設置される地上型の標識灯には、路幅や路肩の位置を知らせるために標識灯周囲の路面を明るく照らし出すように、水平方向に光を照射するような配光特性が要求されるものがある。
【０００３】
従来は光源にハロゲン電球を使用しており、これを取り囲むようにフレネルレンズを配置することで上記の配光特性を実現していた。しかし、ハロゲン電球は定格寿命が１０００時間程度で交換作業が度々発生すると共に消費電力が大きいので、発光ダイオードを光源として使用する標識灯が提案されている。
【０００４】
たとえば、光軸を取り巻く周辺領域の光度が光軸上よりも高い特殊な光特性を備えた発光ダイオードを光源に使用し、これに対向させて漏斗型の反射鏡を配置した標識灯が提案されている（特許文献１及び特許文献２参照）。この標識灯は、光軸周辺の光度の高い光を反射鏡で水平方向に反射させることで、水平方向での配光特性を得ている。
【特許文献１】特開２００４−３００７９７号公報
【特許文献２】特開２００６−２５２８４１号公報
【発明の開示】
【発明が解決しようとする課題】
【０００５】
しかしながら、光源及び漏斗型の反射鏡を多段に積み上げて、明るさを増大させようとすると、灯体の大型化を招くだけではなく、各々の発光ダイオードの配設位置が上下方向に離間するため、各々の光源から放射される水平方向の放射光が互いに離散してしまう不具合がある。
【０００６】
そのため、これら水平方向の放射光を所望領域に集光等させるために、さらに光学制御を付加させる必要が生じ易かった。
【０００７】
本発明はこのような事情を考慮してなされたもので、水平方向の明るさを増大させるために、発光ダイオード等の固体発光素子を積み上げて複数使用しても、各々の固体発光素子の配設位置が大きく離間することを軽減でき、水平方向の放射光の離散が抑制できる光源ユニット及び標識灯を提供することを目的とする。
【課題を解決するための手段】
【０００８】
請求項１記載の光源ユニットは、固体発光素子と、固体発光素子の放射光の光軸と交差する水平方向に放射光を屈折させる光学部材とを各々備えた第１及び第２の光源と;  第１及び第２の光源の固体発光素子の光軸を揃えると共に、それら固体発光素子を対向させて保持する保持部材と;を備えていることを特徴とする。
【０００９】
ここで、固体発光素子とは、発光ダイオード素子などに代表される半導体発光素子の他、カーボン・ナノチューブを利用した発光素子等を用いることができる。
【００１０】
請求項２記載の標識灯は、請求項１記載の光源ユニットと;  第１及び第２の固体発光素子の屈折された放射光を外部に照射可能に光源ユニットを収容する灯体と；を備えていることを特徴とする。
【００１１】
本発明による標識灯は、例えば、空港の誘導路や道路などに設置され、その路幅や路肩の位置を知らせるために用いられる地上型の標識作用をなすものの他、空港の誘導路の両脇やエプロンの縁に沿って設置され飛行機の誘導作用をなすものの他、多様な用途に適用することができる。
【発明の効果】
【００１２】
請求項１記載の光源ユニットの発明によれば、水平方向に光放射する光源を、その固体発光素子が対向するように配設されているため、各々の固体発光素子の配設位置の離間を抑制することができ、水平方向の放射光の離散が低減できる光源ユニットが提供できる。
【００１３】
請求項２記載の標識灯の発明によれば、第１及び第２の固体発光素子による放射光を外部に照射可能に構成されている灯体内に、請求項１記載の光源ユニットが収容されているため、各々の固体発光素子の配設位置の離間を抑制することができ、水平方向の放射光の離散が低減できる標識灯が提供できる。
【発明を実施するための最良の形態】
【００１４】
以下、本発明の実施形態を添付図面に基づいて説明する。なお、複数の添付図面中、同一または相当部分には、同一符号を付している。
【００１５】
図１は本発明の第１の実施形態に係る光源ユニットの概念図である。
【００１６】
同図に示すように、光源ユニットＡは、図中下部に位置する第１の固体発光素子１と上部に第２の固体発光素子２を備え、それら第１及び第２の固体発光素子１，２の光出射面には、固体発光素子１，２の放射光を集光させた後、水平方向に屈折させるため、半球状とこれに連続してプリズム作用をなす円錐形状の透光樹脂製光学レンズ３，４が一体的に取着されている。
【００１７】
なお、本実施形態においては、第１及び第２の固体発光素子１，２は、定格電力が１Ｗ級の青色発光型の発光ダイオードを用いている。
【００１８】
そして、第１の固体発光素子１及びこれに取着されている光学レンズ３により、第１の光源ａ１を構成し、また、同様に第２の固体発光素子２及びこれに取着されている光学レンズ４により第２の光源ａ２が構成されている。
【００１９】
また、それら第１及び第２の固体発光素子１，２は、夫々の放射光の光軸(図中鉛直方向に各々固体発光素子１，２の中心を貫く軸)が一致しながら、第１及び第２の固体発光素子１，２が対向するように、保持部材５，６に固定保持されている。
【００２０】
本実施形態においては、この保持部材５，６は、固体発光素子１，２の動作時の発熱を放熱する放熱部材の作用も奏するように、例えばアルミニウム合金板等の熱伝導性材料で形成され、各々の固体発光素子１，２に取着された光学レンズ３，４の端面間が、たとえば1ｍｍ程度の僅かな間隙を保つように第１及び第２の光源ａ１，ａ２を保持している。
【００２１】
以上のように構成された光源ユニットＡを動作させると、第１及び第２の固体発光素子１，２からは青色の放射光が放射され、その放射光は、それぞれ半球状部分の光学レンズで集光された後、円錐形状部分の光学レンズで水平全周方向に屈折される。
【００２２】
そして、第１及び第２の光源ａ１，ａ２は、1ｍｍ程度の僅かな距離しか離れていないため、第１の光源ａ１及び第２の光源ａ２から各々水平方向に放射される放射光は、互いに近接して離散することなく外部を照射できることになる。
【００２３】
なお、上記の実施形態においては、第１の光源ａ１と第２の光源ａ２の双方を、青色発光ダイオードを用いたものについて説明しているが、例えばこれら光源の発光色を異なるものにして、それらを所望に応じて混光するものや、少なくとも一方の光源を調光制御して、全体としてその放射光の色調を可変とさせることも可能である。
【００２４】
次に、図２を用いて、本発明に係る標識灯の実施形態を説明する。
【００２５】
図２は、空港の誘導路への設置が好適な本実施形態による標識灯Ｂの概念図である。
【００２６】
同図に示すように、灯体１０の上部に位置するドーム状をなす透光性強化ガラス製のグローブ部１０ａ内には、前述の光源ユニットＡが図中の水平全周方向に光を放射するように収容されている。
【００２７】
また、灯体１０の下部には、図示しない点灯装置が内蔵されており、外部から送信される制御信号又は供給される電流値に応じて、光源ユニットＡの第１及び第２の固体発光素子１，２の点灯制御を行うように構成されている。
【００２８】
さらに、灯体１０とは分離して構成される取付台Ｃは、その底部が地中に埋設又は強固に固定され、上部が標識灯Ｂの灯体１０の下部と連結されるように構成され、したがって、標識灯Ｂは、この取付台Ｃを介して設置面に固定される。
【００２９】
以上のように構成された標識灯Ｂによれば、標識灯Ｂに収容されている光源ユニットにおける固体発光素子１，２の配設位置が離間することを抑制でき、そのため、標識灯Ｂの大型化を招くことなく、また各光源ａ１，ａ２が離間することに起因して誘発される水平方向の放射光の離散を低減できる。
【図面の簡単な説明】
【００３０】
【図１】本発明の第１の実施形態に係る光源ユニットの概念図。
【図２】本発明の第２の実施形態に係る標識灯の概念図。
【符号の説明】
【００３１】
Ａ…光源ユニット、Ｂ…標識灯、Ｃ…取付台、ａ１…第１の光源、ａ２…第２の光源
１…第１の固体発光素子、２…第２の固体発光素子、３，４…光学レンズ（光学部材）
５，６…保持部材、１０…灯体、１０ａ…グローブ部
【図１】
2008186754.tif 000003
【図２】
2008186754.tif 000004